(57)【要約】【課題】断熱床下構造のメンテナンス時に行われる防蟻剤の補充作業を容易化する。【解決手段】断熱床下構造は、外周基礎１の内側面１ａを覆うように取り付けられた断熱材１０と、断熱材１０の下方に位置する下側部材（２）の上面と外周基礎１の内側面１ａとが交差する内角部Ｃを少なくとも含む箇所に配置された防蟻機能を有する防蟻剤９と、断熱材１０を外周基礎１に取り付けた状態のままで補充されるメンテナンス用防蟻剤を防蟻剤９の位置へと導く案内手段（１５，１６）とを備える。【選択図】図１
2014043764.tif 000002
【特許請求の範囲】
【請求項１】
建築物を支持する枠状の外周基礎の内側面が断熱された断熱床下構造であって、
上記外周基礎の内側面を覆うように取り付けられた断熱材と、
上記断熱材の下方に位置する下側部材の上面と上記外周基礎の内側面とが交差する内角部を少なくとも含む箇所に配置された防蟻機能を有する防蟻剤と、
上記断熱材を外周基礎に取り付けた状態のままで補充されるメンテナンス用防蟻剤を上記防蟻剤の位置へと導く案内手段とを備えた、ことを特徴とする断熱床下構造。
【請求項２】
請求項１記載の断熱床下構造において、
上記案内手段は、上記断熱材を厚み方向に貫通するガイド孔と、上記断熱材の裏面に開口する上記ガイド孔の出口から上記断熱材の裏面に沿って延び、上記断熱材の底面まで達するガイド溝とを含むものである、ことを特徴とする断熱床下構造。
【請求項３】
請求項２記載の断熱床下構造において、
上記ガイド溝は、上記ガイド孔の出口から上記断熱材の裏面に沿って下方に延びる縦溝部と、縦溝部の下端から分岐して上記断熱材の底面まで延びる複数の分岐溝部とを有する、ことを特徴とする断熱床下構造。
【請求項４】
請求項１記載の断熱床下構造において、
上記案内手段は、上記断熱材の底面を少なくとも覆うように取り付けられた不織布を含むものである、ことを特徴とする断熱床下構造。
【請求項５】
請求項４記載の断熱床下構造において、
上記断熱材は、上記下側部材の上面と上記外周基礎の内側面とを覆うように配置される下側断熱材と、下側断熱材の上面に配置される上側断熱材とを有し、
上記不織布は、上記下側断熱材の全面を覆うように取り付けられている、ことを特徴とする断熱床下構造。
【請求項６】
請求項１記載の断熱床下構造において、
上記案内手段は、上記断熱材を厚み方向に貫通するガイド孔と、上記断熱材の裏面および底面を少なくとも覆うように取り付けられた不織布とを含むものである、ことを特徴とする断熱床下構造。
【請求項７】
建築物を支持する枠状の外周基礎の内側面が断熱材によって覆われた断熱床下構造に防蟻処理を施す方法であって、
上記断熱材の下方に位置する下側部材の上面と上記外周基礎の内側面とが交差する内角部を少なくとも含む箇所に、防蟻機能を有する防蟻剤を配置するステップと、
上記内角部に配置された防蟻剤を上から覆い且つ上記外周基礎の内側面に沿うように上記断熱材を取り付けるステップと、
メンテナンス時に補充されるメンテナンス用防蟻剤を上記防蟻剤の位置へと導く案内手段を設けるステップと、
上記断熱材を外周基礎に取り付けた状態のままで、上記案内手段を通じて上記メンテナンス用防蟻剤を上記防蟻剤の位置へと導入するステップとを含む、ことを特徴とする断熱床下構造の防蟻処理方法。
【発明の詳細な説明】
【技術分野】
【０００１】
本発明は、建築物を支持する枠状の外周基礎の内側面が断熱材によって覆われた断熱床下構造、および当該構造に防蟻処理を施す方法に関する。
【背景技術】
【０００２】
上記のような断熱床下構造に関する従来技術として、例えば下記特許文献１が公知である。この特許文献１の床下断熱構造では、図２６に示されるように、建築物を支持する枠状の外周基礎２０１の内側面（図２６の右側の面）と、外周基礎２０１に囲まれた地盤Ｅを覆う土間コンクリート２０５の上面とに、それぞれ断熱材２１０，２１１が施工されている。上記外周基礎２０１と土間コンクリート２０５との接合部の上方にあたる角部、つまり、外周基礎２０１の内側面と土間コンクリート２０５の上面とが交差する内角部には、防蟻剤２０９が充填されている。
【０００３】
具体的に、上記特許文献１では、上記内角部に対応する断熱材２１１の側縁部の下面に、当該部を斜めにカットした切欠き部が設けられており、この切欠き部に対応した領域に、上記防蟻剤２０９が充填されている。
【先行技術文献】
【特許文献】
【０００４】
【特許文献１】特開２００５−２１３８３７号公報
【発明の概要】
【発明が解決しようとする課題】
【０００５】
上記特許文献１に開示された断熱床下構造（図２６）によれば、仮に外周基礎２０１と土間コンクリート２０５との接合部に隙間が生じていたとしても、その上方にあたる上記内角部に配置された上記防蟻剤２０９の効果により、土中に住む白蟻が上記隙間から外周基礎２０１をつたって上方に這い上がることが阻止され、建築物の木質部分（土台や柱等）や断熱材に白蟻による食害が及ぶことが防止される。
【０００６】
しかしながら、図２６に示したような位置に防蟻剤２０９を充填した上記特許文献１の技術では、メンテナンス性が悪化するという問題がある。例えば、建築から長期間が経過した後は、防蟻剤２０９を定期的に補充することが望ましいが、このような作業を行うには、断熱材２１０，２１１を一旦取り外す必要があり、作業が煩雑化してしまう。
【０００７】
本発明は、上記のような事情に鑑みてなされたものであり、断熱床下構造のメンテナンス時に行われる防蟻剤の補充作業をより容易化することを目的とする。
【課題を解決するための手段】
【０００８】
上記課題を解決するためのものとして、本発明は、建築物を支持する枠状の外周基礎の内側面が断熱された断熱床下構造であって、上記外周基礎の内側面を覆うように取り付けられた断熱材と、上記断熱材の下方に位置する下側部材の上面と上記外周基礎の内側面とが交差する内角部を少なくとも含む箇所に配置された防蟻機能を有する防蟻剤と、上記断熱材を外周基礎に取り付けた状態のままで補充されるメンテナンス用防蟻剤を上記防蟻剤の位置へと導く案内手段とを備えた、ことを特徴とするものである（請求項１）。
【０００９】
本発明によれば、外周基礎の内角部を含む箇所に配置された防蟻剤に対しメンテナンス用防蟻剤を補充するメンテナンス作業の際に、案内手段を通じて、断熱材を外周基礎に取り付けた状態のまま、容易にメンテナンス用防蟻剤を補充することができる。これにより、メンテナンス用防蟻剤の補充のためにわざわざ断熱材を取り外すなどの煩雑な準備をする必要がなくなり、メンテナンスの作業性を格段に向上することができる。また、上記防蟻剤に対しメンテナンス用防蟻剤が定期的に補充されることにより、上記内角部での防蟻効果が長期間に亘って維持されるので、内角部を通った白蟻の侵入を確実に防止することができる。
【００１０】
本発明において、好ましくは、上記案内手段は、上記断熱材を厚み方向に貫通するガイド孔と、上記断熱材の裏面に開口する上記ガイド孔の出口から上記断熱材の裏面に沿って延び、上記断熱材の底面まで達するガイド溝とを含むものである（請求項２）。
【００１１】
この構成によれば、断熱材に設けられたガイド孔およびガイド溝にメンテナンス用防蟻剤を注入する等の簡単な方法により、上記防蟻剤の位置に確実にメンテナンス用防蟻剤を導入することができる。
【００１２】
上記構成において、より好ましくは、上記ガイド溝は、上記ガイド孔の出口から上記断熱材の裏面に沿って下方に延びる縦溝部と、縦溝部の下端から分岐して上記断熱材の底面まで延びる複数の分岐溝部とを有する（請求項３）。
【００１３】
この構成によれば、メンテナンス用防蟻剤が、縦溝部および複数の分岐溝部を通じて分散しつつ上記防蟻剤の位置に導入されるので、防蟻機能の補強効果が場所によって大きくばらつくのを効果的に防止することができる。
【００１４】
本発明において、上記案内手段は、上記断熱材の底面を少なくとも覆うように取り付けられた不織布を含むものであってもよい（請求項４）。
【００１５】
この構成によれば、断熱材の底面を少なくとも覆う不織布にメンテナンス用防蟻剤を含浸させるだけの簡単な方法で、上記防蟻剤の位置にメンテナンス用防蟻剤を導入することができる。なお、断熱材底面の不織布にメンテナンス用防蟻剤を含浸させるには、当該不織布の場所まで通じる孔等の経路を断熱材やその周囲の部材に設けておき、その経路を通じてメンテナンス用防蟻剤を導入することが考えられる。あるいは、断熱材の底面だけでなく、床下に露出する部分の断熱材の表面も含めて連続的に不織布を取り付けておき、その露出部分の不織布にメンテナンス用防蟻剤を散布する等により、不織布の全体にメンテナンス用防蟻剤を含浸させるようにしてもよい。
【００１６】
上記構成において、より好ましくは、上記断熱材は、上記下側部材の上面と上記外周基礎の内側面とを覆うように配置される下側断熱材と、下側断熱材の上面に配置される上側断熱材とを有し、上記不織布は、上記下側断熱材の全面を覆うように取り付けられている（請求項５）。
【００１７】
この構成によれば、防蟻剤の上方に位置することになる下側断熱材にのみ不織布を取り付ければ足り、その上の上側断熱材には不織布を取り付けなくて済むので、たとえ下側断熱材の全面を不織布によって覆ったとしても、その不織布の使用面積を効果的に抑制することができる。
【００１８】
本発明において、上記案内手段は、上記断熱材を厚み方向に貫通するガイド孔と、上記断熱材の裏面および底面を少なくとも覆うように取り付けられた不織布とを含むものであってもよい（請求項６）。
【００１９】
この構成によれば、メンテナンス用防蟻剤をガイド孔に注入しさえすれば、このガイド孔からメンテナンス用防蟻剤が漏出し、断熱材の裏面および底面に取り付けられた不織布に含浸されるので、簡単な方法でメンテナンス用防蟻剤の補充作業を行うことができる。
【００２０】
また、本発明は、建築物を支持する枠状の外周基礎の内側面が断熱材によって覆われた断熱床下構造に防蟻処理を施す方法であって、上記断熱材の下方に位置する下側部材の上面と上記外周基礎の内側面とが交差する内角部を少なくとも含む箇所に、防蟻機能を有する防蟻剤を配置するステップと、上記内角部に配置された防蟻剤を上から覆い且つ上記外周基礎の内側面に沿うように上記断熱材を取り付けるステップと、メンテナンス時に補充されるメンテナンス用防蟻剤を上記防蟻剤の位置へと導く案内手段を設けるステップと、上記断熱材を外周基礎に取り付けた状態のままで、上記案内手段を通じて上記メンテナンス用防蟻剤を上記防蟻剤の位置へと導入するステップとを含む、ことを特徴とするものである（請求項７）。
【００２１】
この方法によっても、上述した作用効果と同様の効果を得ることができる。なお、この方法において、「案内手段を設けるステップ」の実施時期は、外周基礎に断熱材を取り付ける施工時に限られず、メンテナンス時（例えばメンテナンス用防蟻剤を導入する作業の直前）であってもよい。
【発明の効果】
【００２２】
以上説明したように、本発明の断熱床下構造および防蟻処理方法によれば、断熱床下構造のメンテナンス時に行われる防蟻剤の補充作業をより容易化することができる。
【図面の簡単な説明】
【００２３】
【図１】本発明の第１実施形態にかかる断熱床下構造を示す断面図である。
【図２】上記断熱床下構造に用いられる断熱材を単体で示す斜視図である。
【図３】上記断熱材を別の角度から見た斜視図である。
【図４】上記断熱材の単体の背面図である。
【図５】図４のＶ−Ｖ線に沿った断面図である。
【図６】上記断熱床下構造の施工方法を説明するための説明図（その１）である。
【図７】上記施工方法の説明図（その２）である。
【図８】上記施工方法の説明図（その３）である。
【図９】上記施工方法の説明図（その４）である。
【図１０】上記断熱床下構造に対し行われるメンテナンス作業を説明するための図である。
【図１１】上記第１実施形態の変形例を説明するための図である。
【図１２】上記第１実施形態の他の変形例を説明するための図である。
【図１３】上記第１実施形態のさらに他の変形例を説明するための図である。
【図１４】本発明の第２実施形態にかかる断熱床下構造を示す断面図である。
【図１５】上記第２実施形態の断熱床下構造に対し行われるメンテナンス作業を説明するための図である。
【図１６】上記第２実施形態の変形例を説明するための図である。
【図１７】本発明の第３実施形態にかかる断熱床下構造を示す断面図である。
【図１８】本発明の第４実施形態にかかる断熱床下構造を示す断面図である。
【図１９】上記第４実施形態で用いられる中空構造材を単体で示す斜視図である。
【図２０】本発明の第５実施形態にかかる断熱床下構造を示す断面図である。
【図２１】本発明の第６実施形態にかかる断熱床下構造を示す断面図である。
【図２２】図２１の一部拡大図である。
【図２３】本発明の第７実施形態にかかる断熱床下構造を示す断面図である。
【図２４】本発明の第８実施形態にかかる断熱床下構造を示す断面図である。
【図２５】本発明の第９実施形態にかかる断熱床下構造を示す断面図である。
【図２６】従来の断熱床下構造を説明するための図である。
【発明を実施するための形態】
【００２４】
＜実施形態１＞
（１）断熱床下構造の全体説明
図１は、本発明の第１実施形態にかかる断熱床下構造を示す断面図である。本図に示すように、家屋等からなる建築物Ｔの床下部分には、建築物Ｔの平面形状に対応するように枠状に形成されたコンクリート材からなる外周基礎１が打設されており、この外周基礎１によって建築物Ｔが下から支持されている。建築物Ｔの床部には、その骨格を構成する木製の角材等からなる土台Ｔａが含まれ、この土台Ｔａが、上記外周基礎１の上面に図外のアンカーボルト等を介して固定されている。
【００２５】
上記外周基礎１の下端部には、地盤Ｅに埋設された状態で水平方向に張り出すフーチング２が一体に形成されており、これら外周基礎１とフーチング２とによって、断面逆Ｔ字状のいわゆる布基礎が形成されている。なお、フーチング２は、後述する断熱材１０の下方に位置する部材であるので、本発明にかかる「下側部材」に該当する。
【００２６】
上記外周基礎１における床下側の側面、つまり、外周基礎１の内側面１ａには、断熱材１０が取り付けられている。断熱材１０は、例えば発泡ポリスチレンや発泡ウレタンなど、断熱性に優れた樹脂材料からなり、外周基礎１の内側面１ａと直交する方向に所定の厚みを有し、且つ外周基礎１の高さとほぼ同一の高さを有した板状の部材である（後述する図２〜図５も参照）。外周基礎１の内側面１ａには、その面積に合わせて複数枚の上記断熱材１０が並列に（図１では紙面に直交する方向に）並べて取り付けられている。
【００２７】
上記断熱材１０は、例えば接着剤を介して外周基礎１の内側面１ａに固定されている。断熱材１０の固定に接着剤を用いる場合には、接着剤として防蟻用の薬剤が練り込まれたものを用いることが好ましい。なお、接着剤に含有され得る薬剤の具体例は、後述する防蟻剤９の説明において例示する薬剤と基本的に同じであるので、ここでは説明を省略する。
【００２８】
上記外周基礎１および断熱材１０によって囲まれた建築物Ｔの床下部分には、水平方向に拡がる板状のコンクリート材からなる土間コンクリート５が敷設されており、この土間コンクリート５によって床下部分の地盤Ｅの上面が覆われている。
【００２９】
上記土間コンクリート５の周縁部には、外周基礎１（断熱材１０）に近づくほど高さが低くなるように傾斜した下面を有する増厚部５ａが形成されている。上記断熱材１０は、その下部が上記土間コンクリート５の増厚部５ａと外周基礎１との間に挟まれるような状態で上記外周基礎１に取り付けられている。
【００３０】
上記土間コンクリート５と地盤Ｅとの間には、防蟻用の薬剤が練り込まれたシート状体からなる防蟻シート７が敷設されている。防蟻シート７は、土間コンクリート５よりも広い範囲を覆うように拡がっており、その一部が土間コンクリート５の外側まではみ出している。このため、上記断熱材１０とフーチング２との間には、土間コンクリート５からはみ出した上記防蟻シート７の周縁部が挟み込まれている。なお、防蟻シート７に含有され得る薬剤の具体例は、後述する防蟻剤９の説明において例示する薬剤と基本的に同じであるので、ここでは説明を省略する。
【００３１】
上記外周基礎１の内側面１ａと上記フーチング２の上面とが交差する部分である内角部Ｃには、白蟻の侵入を防ぐ機能（防蟻機能）を有する防蟻剤９が充填されている。
【００３２】
上記防蟻剤９は、防蟻機能を有し、且つある程度の保形性を有するものであれば特にその種類を問わないが、例えば、防蟻用の薬剤が練りこまれたペースト状の樹脂組成物、防蟻用の薬剤を含有した樹脂成形体（フィルム、ペレット、板材など）、粒子状または粉体状の無機物に防蟻用の薬剤を付着させたもの、あるいは尖角形状のガラス小片、さらにはこれらを２つ以上組み合わせたものを、上記防蟻剤９として使用することができる。
【００３３】
また、上記防蟻剤９に含有される薬剤は、防蟻機能を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を、上記薬剤として使用することができる。
【００３４】
図２および図３は上記断熱材１０を単体で示す斜視図、図４は断熱材１０の単体の背面図、図５は図４のＶ−Ｖ線に沿った断面図である。なお、図５には、外周基礎１およびフーチング２を想像線で示している。以下の説明では、断熱材１０の外周基礎１側の面を裏面１１、断熱材１０の外周基礎１とは反対側（床下側）の面を表面１３、フーチング２を覆う断熱材１０の下面を底面１２とする。
【００３５】
上記断熱材１０の底面１２における外周基礎１側の角部、つまり、断熱材１０の底面１２と裏面１１とが交差する角部には、断熱材１０の底面１２を所定深さだけ除去した底溝１２ａが形成されている。この底溝１２ａの存在により、外周基礎１の内角部Ｃでは、フーチング２の上面と断熱材１０の底面１２との間に所定容積の空間が形成されている。上記防蟻剤９は、上記底溝１２ａに対応する空間に閉じ込められるような状態で配置されている（図１参照）。
【００３６】
上記断熱材１０には、断熱材１０をその厚み方向に貫通するガイド孔１５と、断熱材１０の裏面１１に開口する上記ガイド孔１５の出口から上記断熱材１０の裏面１１に沿って延び、上記断熱材１０の底面１２まで達するガイド溝１６とが形成されている。これらガイド孔１５およびガイド溝１６は、後述するメンテナンス作業時に補充される防蟻剤（メンテナンス用防蟻剤）を上記防蟻剤９の位置（ここでは内角部Ｃ）まで導く機能を果たすものであり、本発明にかかる「案内手段」に該当するものである。
【００３７】
上記ガイド孔１５は、断熱材１０の高さ方向（外周基礎１の内側面１ａに沿う方向）の中間部に設けられており、断熱材１０の表面１３に開口する上記ガイド孔１５の入口は、土間コンクリート５の上面よりも高いところに位置している。
【００３８】
上記ガイド溝１６は、上記ガイド孔１５の出口（裏面１１側の開口）の形成部分から上記断熱材１０の裏面１１に沿って下方に延びる縦溝部１７と、縦溝部１７の下端から分岐して上記断熱材１０の底面１２まで放射状に延びる複数（図例では３つの）の分岐溝部１８とを有している。各分岐溝部１８は、縦溝部１７の下端から断熱材１０の底面１２まで延びており、各分岐溝部１８の下端部は、上記断熱材１０の底面１２に設けられた底溝１２ａに通じている。このように、上記分岐溝１８および縦溝部１７からなるガイド溝１６は、上記断熱材１０の裏面１１に開口する上記ガイド孔１５の出口と断熱材１０の底溝１２ａとを互いに連通するように設けられている。
【００３９】
以上のような構造の断熱材１０は、例えば次のようにして成形することができる。まず、発泡ポリスチレン等の原料を成形金型内に流し込み、断熱材１０の素材を形成する。この断熱材１０の素材には、成形金型のキャビティの形状に応じて、既にガイド溝１６および底溝１２ａが形成されている。そして、最後に、断熱材１０の素材にドリル加工を施し、上記ガイド溝１６の上端に対応する位置にガイド孔１５を形成する。以上により、ガイド孔１５、ガイド溝１６、および底溝１２ａを有する断熱材１０を成形することができる。なお、押し出し成形等の連続成形により得た断熱材１０の素材を所望の寸法にカットした後、ガイド孔１５、ガイド溝１６、底溝１２ａを全て加工によって形成してもよい。
【００４０】
（２）施工方法
次に、以上のような断熱床下構造を施工する方法について説明する。なお、この説明の前提として、地盤Ｅには既に外周基礎１およびフーチング２が打設されているものとする。
【００４１】
上記の状態から始める作業としては、まず、図６に示すように、床下部分の地盤Ｅにおける外周基礎１に近い部分に掘りこみ部Ｘを形成し、フーチング２の上面の一部を露出させる。このとき、掘り込み部Ｘの幅を上方側ほど広くなるように設定し、地盤Ｅの周面を傾斜状に形成する。
【００４２】
次いで、図７に示すように、外周基礎１の内側面１ａとフーチング２の上面とが交差する内角部Ｃに防蟻剤９を配置するとともに、床下部分の地盤Ｅの上面を覆うように防蟻シート７を敷設する。このとき、防蟻シート７の周縁部は、上記掘り込み部Ｘ（図６）により露出したフーチング２の上面と、上記内角部Ｃに配置された防蟻剤９とをともに覆うように敷設される。なお、ここでの敷設作業で使用される防蟻シート７の枚数は、１枚に限られない。防蟻シート７を複数枚使用する場合は、例えば、外周基礎１に比較的近い部分のみを覆うために用意された帯状の防蟻シート７と、地盤Ｅの中央部を含む比較的広範な領域を覆うために用意された矩形状の防蟻シート７とを部分的に重ね合わせつつ敷設するとよい。
【００４３】
次いで、図８に示すように、外周基礎１に断熱材１０を取り付ける。すなわち、断熱材１０の裏面１１を接着剤等を介して外周基礎１の内側面１ａに固定することにより、外周基礎１の内側面１ａとフーチング２の上面とを覆うように断熱材１０を取り付ける。断熱材１０の固定に接着剤を用いる場合、その接着剤としては、防蟻用薬剤を含有したものを用いるのがよい。
【００４４】
上記のようにして断熱材１０が取り付けられると、図９に示すように、この断熱材１０の底面１２によって、フーチング２の上面に敷設された防蟻シート７、および内角部Ｃに配置された防蟻剤９が上から覆われる。このとき、防蟻剤９は、断熱材１０の底面１２に設けられた底溝１２ａに対応する空間（底溝１２ａと内角部Ｃとで囲まれた空間）に収容されるとともに、この空間に入りきらない一部の防蟻剤９は、断熱材１０の底面１２とフーチング２の上面との間に挟まれて引き伸ばされる。
【００４５】
次いで、床下部分の地盤Ｅを覆うように土間コンクリート５を施工する（図１参照）。このとき、床下部分の地盤Ｅの周縁部に形成されていた掘り込み部Ｘ（図６）にもコンクリートが流れ込み、この掘り込み部Ｘに対応する部分に増厚部５ａが形成される。これにより、土間コンクリート５の増厚部５ａと外周基礎１の内側面との間に断熱材１０の下部が挟み込まれ、断熱材１０がより強固に固定される。なお、土間コンクリート５の施工時、その厚みは、土間コンクリート５の上面の高さが断熱材１０のガイド孔１５よりも低くなるような厚みに設定される。このため、土間コンクリート５の施工後においても、ガイド孔１５の入口（表面１３側の開口）が塞がれることはない。
【００４６】
（３）メンテナンス作業
次に、以上のような方法で施工された断熱床下構造に対し、防蟻効果を維持するためのメンテナンスを行うときの作業手順について説明する。
【００４７】
土中の白蟻は、基本的に暗がりを行動範囲とするため、建築物Ｔに侵入しようという場合は、例えば外周基礎１の内側面１ａと断熱材１０の裏面１１との隙間を通って上方に這い上がろうとする。しかしながら、当実施形態の構造では、外周基礎１とフーチング２との内角部Ｃに防蟻剤９が配置されているため、基本的には、この防蟻剤９によって白蟻の這い上がりが阻止される。しかしながら、防蟻剤９に含有されている薬剤の効果が経年劣化により薄れたり、防蟻剤９の体積が乾燥により収縮するなどしていれば、白蟻が防蟻剤９を通過してさらに上方まで這い上がり、建築物Ｔの土台Ｔａ等が白蟻に食われるという被害（食害）が及ぶこともあり得る。このような白蟻による被害を抑えるには、上記防蟻剤９の位置（ここでは内角部Ｃ）に定期的に防蟻剤を補充することが必要である。以下では、このようなメンテナンス時に補充される防蟻剤のことを、「メンテナンス用防蟻剤」という。
【００４８】
当実施形態において、上記のようなメンテナンス用防蟻剤の補充作業は、断熱材１０を外周基礎１に取り付けた状態のまま、断熱材１０の表面１３側（つまり床下側）から行うことが可能である。その一例を図１０に示す。図１０は、注射器２０を用いてメンテナンス用防蟻剤９’を上記内角部Ｃに導入する場合を例示したものである。なお、メンテナンス用防蟻剤９’は、当初から内角部Ｃに配置されていた防蟻剤９と同じものでも、異なるものでもよい。例えば、当初の防蟻剤９が流動性に富んだものである場合には、これと同じものをメンテナンス用防蟻剤９’として使用することができる。一方、当初の防蟻剤９の流動性が低ければ、流動性の高い別の防蟻剤をメンテナンス用防蟻剤９’として使用するとよい。例えば、防蟻用の薬剤を水または溶剤に溶かしたものをメンテナンス用防蟻剤９’として使用してもよい。
【００４９】
図１０の例において、上記メンテナンス用防蟻剤９’を補充する際に、作業者は、建築物Ｔの床下部分に入り込み、注射器２０を用いて断熱材１０の表面１３側（床下側）からメンテナンス用防蟻剤９’を注入する。具体的には、メンテナンス用防蟻剤９’が内部に装填された注射器２０の針先を、断熱材１０のガイド孔１５の入口（表面１３側の開口）に挿入し、その状態で、注射器２０のピストンを押し込むことにより、注射器２０内のメンテナンス用防蟻剤９’をガイド孔１５の内部に注入する。ガイド孔１５に注入されたメンテナンス用防蟻剤９’は、ガイド孔１５の出口と連続して断熱材１０の裏面１１に形成されたガイド溝１６へと流入し、このガイド溝１６を通じて断熱材１０の底面１２まで流下していく。
【００５０】
ここで、ガイド溝１６は、図２、図４に示したように、ガイド孔１５の出口と連続する縦溝部１７とその下端から分岐する複数の分岐溝部１８を有しているので、上記ガイド孔１５の出口から流出したメンテナンス用防蟻剤９’は、縦溝部１７および複数の分岐溝部１８を通じて複数の経路に分かれながら下方へと流れていく。
【００５１】
上記のようにしてガイド孔１５およびガイド溝１６を通じて注入されたメンテナンス用防蟻剤９’は、断熱材１０の底面１２に設けられた底溝１２ａへと流入し、当該底溝１２ａと上記外周基礎１の内角部Ｃとに囲まれた空間に当初から充填されていた防蟻剤９まで到達するとともに、断熱材１０の底面１２とフーチング２との隙間等に滞留する。なお、防蟻剤９と断熱材１０との間には防蟻シート７が敷設されているが、上記ガイド溝１６を通じて流入してきたメンテナンス用防蟻剤９’は、防蟻シート７と外周基礎１の内側面１ａとの隙間等を通って問題なく当初の防蟻剤９に到達する。
【００５２】
（４）作用効果等
以上説明したように、上記第１実施形態では、建築物Ｔを支持する枠状の外周基礎１の内側面１ａが断熱材１０によって覆われた断熱床下構造において、次のような特徴的な構成を採用した。
【００５３】
すなわち、上記第１実施形態では、上記外周基礎１の内側面１ａと当該面と交差するフーチング２（下側部材）の上面とにより形成される内角部Ｃに、防蟻機能を有する防蟻剤９が配置されており、この防蟻剤９を上から覆い且つ外周基礎１の内側面１ａに沿うように上記断熱材１０が取り付けられている。上記断熱材１０には、メンテナンス時に断熱材１０の表面１３側（床下側）から補充されるメンテナンス用防蟻剤９’を上記外周基礎１の内角部Ｃへと導く案内手段として、断熱材１０を厚み方向に貫通するガイド孔１５と、ガイド孔１５の出口から断熱材１０の裏面１１に沿って延び、断熱材１０の底面１２まで達するガイド溝１６とが設けられている。
【００５４】
このような第１実施形態の構成によれば、メンテナンス用防蟻剤９’の補充作業をより容易化することができる。すなわち、上記第１実施形態では、防蟻剤９が配置された外周基礎１の内角部Ｃにメンテナンス用防蟻剤９’を補充したい場合に、断熱材１０に設けられたガイド孔１５およびガイド溝１６（案内手段）を通じて、断熱材１０の表面１３側から容易且つ確実にメンテナンス用防蟻剤９’を補充することができる。これにより、メンテナンス用防蟻剤９’の補充のためにわざわざ断熱材１０を取り外すなどの煩雑な準備をする必要がなくなり、メンテナンスの作業性を格段に向上することができる。また、外周基礎１の内角部Ｃに配置された防蟻剤９に対し、メンテナンス用防蟻剤９’が定期的に補充されることにより、上記内角部Ｃでの防蟻効果が長期間に亘って維持されるので、内角部Ｃを通った白蟻の侵入を確実に防止することができる。
【００５５】
特に、上記第１実施形態では、メンテナンス用防蟻剤９’を外周基礎１の内角部Ｃに導く案内手段として、断熱材１０を貫通するガイド孔１５とその出口から断熱材１０の裏面１１に沿って延びるガイド溝１６とを設けたため、メンテナンス時には、これらガイド孔１５およびガイド溝１６を通じてメンテナンス用防蟻剤９’を確実に上記内角部Ｃに導入することができる。
【００５６】
より具体的に、上記第１実施形態において、断熱材１０の裏面１１に設けられた上記ガイド溝１６は、上記ガイド孔１５の出口から断熱材１０の裏面１１に沿って下方に延びる縦溝部１７と、縦溝部１７の下端から分岐して断熱材１０の底面１２まで延びる複数の分岐溝部１８とを有している。このような構成によれば、メンテナンス用防蟻剤９’が複数の経路に分かれて外周基礎１の内角部Ｃに導入されるので、この内角部Ｃに配置されていた防蟻剤９に上記メンテナンス用防蟻剤９’をまんべんなく補充することができ、防蟻機能の補強効果が場所によって大きくばらつくのを効果的に防止することができる。
【００５７】
なお、上記第１実施形態では、メンテナンス用防蟻剤９’を断熱材１０のガイド孔１５およびガイド溝１６を通じて内角部Ｃに導入する際に、注射器２０を用いてメンテナンス用防蟻剤９’をガイド孔１５に注入するようにしたが、ガイド孔１５にメンテナンス用防蟻剤９’を注入できるものであれば、注射器２０に限らず適宜使用可能である。
【００５８】
また、上記第１実施形態では、断熱材１０の底面１２を部分的に切り欠いて底溝１２ａを形成し、この底溝１２ａと外周基礎１の内角部Ｃとにより囲まれた空間に防蟻剤９を収容するようにしたが、上記底溝１２ａは必須ではなく、省略してもよい。底溝１２ａを省略した場合、つまり図１１に示すように断熱材１０の底面を段差のない平坦な面１２’によって構成した場合には、例えば、断熱材１０の底面１２’とフーチング２との間に防蟻剤９をまんべんなく引き伸ばし、両者の隙間を埋めるように防蟻剤９を配置することが望ましい。このようにした場合でも、外周基礎１の内側面１ａと断熱材１０との隙間を通った白蟻の侵入を確実に防止することができる。また、メンテナンス時にガイド孔１５およびガイド溝１６を通じてメンテナンス用防蟻剤９’が充填されたときには、特に外周基礎１の内角部Ｃに位置する部分の防蟻剤９の機能が強化されることになり、防蟻効果が長期間に亘り維持される。
【００５９】
もちろん、上記のように断熱材１０の底溝１２ａを省略しながら、内角部Ｃにのみ集中的に防蟻剤９を配置してもよい。この場合、防蟻剤９は、内角部Ｃに近い部分の断熱材１０の裏面１１（裏面１１の下端近傍）と外周基礎１との間、または内角部Ｃに近い部分の断熱材１０の底面１２’とフーチング２との間に挟まれることで、白蟻の侵入を阻止する機能を発揮することになる。
【００６０】
また、上記第１実施形態では、土間コンクリート５の上面には断熱材を配置しなかったが、図２６を用いて説明した従来技術と同様に、土間コンクリート５の上面に断熱材１０とは別の断熱材を配置してもよい。
【００６１】
また、上記第１実施形態では、建築物Ｔを支持する外周基礎１とその下端部に設けられたフーチング２とを備えたいわゆる布基礎の内角部Ｃ、つまり外周基礎１の内側面１ａとフーチング２の上面とが交差する内角部Ｃに防蟻剤９を配置し、この防蟻剤９が配置された内角部Ｃにメンテナンス用防蟻剤９’を補充するという例について説明したが、本発明が適用可能な構造は、上記のような内角部Ｃに防蟻剤９を配置した例に限られない。例えば、図１２に示す例では、床下部分の地盤Ｅを覆う土間コンクリート５’の周縁部が、外周基礎１の内側面１ａまで拡がっており、これら土間コンクリート５’と外周基礎１とによって内角部Ｃ’が形成されている。そして、この内角部Ｃ’に防蟻剤９が配置され、その上方に断熱材１０が取り付けられている。なお、断熱材１０の下方に位置する土間コンクリート５’は、本発明にかかる「下側部材」に該当する。
【００６２】
さらに、図示を省略するが、フーチング２が存在しないいわゆるベタ基礎とよばれる基礎の場合にも、本発明は適用可能である。この場合、建築物Ｔを支持する外周基礎は、水平方向に拡がるように地盤Ｅに打設される底盤コンクリート（スラブ）の周縁部の上面に接合される。この場合でも、上記図１２の例と同様、外周基礎と底盤コンクリートとにより内角部が形成されるので、この内角部に防蟻剤を施工することができる。
【００６３】
またさらに、図１３に示すように、床下の地盤Ｅの上方に断熱材１０を取り付ける場合にも、本発明は適用可能である。すなわち、図１３の例では、地盤Ｅの上面に防蟻シート７が敷設されており、この防蟻シート７の周縁部を地盤Ｅとの間に挟むように断熱材１０が取り付けられている。地盤Ｅの上面と外周基礎１の内側面１ａとが交差する角部Ｃ”には防蟻剤９が配置され、この防蟻剤９を上から覆うように断熱材１０が取り付けられている。なお、図１３の例では、断熱材１０の下方に位置する部分の地盤Ｅが、本発明にかかる「下側部材」に該当する。
【００６４】
＜実施形態２＞
図１４は、本発明の第２実施形態を説明するための図である。なお、本図において、先の第１実施形態と同一の構成要素には同一の符号を付すこととし、その詳細な説明を省略する。
【００６５】
図１４に示される第２実施形態では、外周基礎１の内側面１ａに取り付けられる断熱材５０が、高さ方向に２分割されており、下側断熱材５０Ａと上側断熱材５０Ｂとを有している。すなわち、フーチング２の上面と外周基礎１の内側面１ａの一部とを覆うように下側断熱材５０Ａが配置され、さらに下側断熱材５０Ａの上面に上側断熱材５０Ｂが配置されることにより、外周基礎１の内側面１ａのほぼ全高さを覆うように断熱材５０（下側および上側断熱材５０Ａ，５０Ｂ）が配置されている。
【００６６】
上記外周基礎１の内側面１ａとフーチング２の上面とが交差する内角部Ｃには、防蟻剤９が配置されている。
【００６７】
上記下側断熱材５０Ａの底面５２における外周基礎１側の角部には、底面５２を部分的に切り欠いた底溝５２ａが形成されており、この底溝５２ａと上記外周基礎１の内角部Ｃとに囲まれた空間に収容されるようにして上記防蟻剤９が配置されている。
【００６８】
上記下側断熱材５０Ａは、その全面が不織布６０によって覆われている。すなわち、下側断熱材５０Ａの裏面５１、底面５２（底溝５２ａを含む）、表面５３、および上面５４をそれぞれ覆うように上記不織布６０が取り付けられている。さらに、図示を省略するが、図１４の紙面に直交する方向を下側断熱材５０Ａの長手方向としたとき、この長手方向の一側と他側の側面にも上記不織布６０が取り付けられている。このように、不織布６０は、直方体形状の下側断熱材５０Ａの６面全てを覆うように取り付けられている。
【００６９】
なお、図１４では、下側断熱材５０Ａの各面に取り付けられた不織布６０を太い実線で表している。また、図示の都合上明示されていないが、第２実施形態では、土間コンクリート５の設置範囲より外側（外周基礎１の近傍）まで拡がるように防蟻シート７が敷設されており、下側断熱材５０Ａの底面５２とフーチング２の上面との間にも防蟻シート７は存在している。このことは、後述する他の実施形態（第３〜第９実施形態）でも同様である。
【００７０】
上記不織布６０は、メンテナンス作業時に補充されるメンテナンス用防蟻剤を上記防蟻剤９の位置（ここでは内角部Ｃ）まで導く機能を果たすものであり、本発明にかかる「案内手段」に該当するものである。すなわち、防蟻効果を維持するために行われるメンテナンス作業においては、図１５に示すように、床下に露出した部分の不織布６０、より具体的には、下側断熱材５０Ａの表面５３のうち土間コンクリート５よりも上側に位置する部分の不織布６０に、例えば噴霧器７０を用いてメンテナンス用防蟻剤９’が散布される。
【００７１】
上記噴霧器７０から散布されたメンテナンス用防蟻剤９’は、上記不織布６０の露出部分に含浸されて、時間経過とともに不織布６０の全体に浸透する。これにより、メンテナンス用防蟻剤９’は、外周基礎１の内角部Ｃの近傍に位置する不織布６０にまで浸透し、最終的には、当該内角部Ｃに配置された防蟻剤９に到達する。
【００７２】
以上のように、第２実施形態では、メンテナンス用防蟻剤９’を外周基礎１の内角部Ｃに導く案内手段として、下側断熱材５０Ａの全面（裏面５１、底面５２、表面５３、上面５４）を覆う不織布６０を設けたため、メンテナンス時には、この不織布６０にメンテナンス用防蟻剤９’を含浸させるだけの簡単な方法で、上記内角部Ｃにメンテナンス用防蟻剤９’を導入することができる。また、メンテナンス時にメンテナンス用防蟻剤９’が不織布６０に含浸されることで、特に、下側断熱材５０Ａの裏面５１や上面５４を覆う部分の不織布６０が白蟻の侵入を防止する役割を果たし、その意味でも防蟻効果が向上することになる。
【００７３】
特に、上記第２実施形態では、外周基礎１の内側面１ａに取り付けられる断熱材５０として、下側断熱材５０Ａおよび上側断熱材５０Ｂを含む分割タイプの断熱材を採用したので、上記内角部Ｃを覆う（防蟻剤９の上方に位置する）下側断熱材５０Ａにのみ不織布６０を取り付ければ足り、その上の上側断熱材５０Ｂには不織布６０を取り付けなくて済む。このため、たとえ下側断熱材５０Ａの全面を不織布６０によって覆ったとしても、その不織布６０の使用面積を効果的に抑制することができる。
【００７４】
なお、上記第２実施形態では、不織布６０にメンテナンス用防蟻剤９’を含浸させるために噴霧器７０（図１５）を用いたが、これに代わる方法として、例えば刷毛塗り等によりメンテナンス用防蟻剤９’を不織布６０に含浸させてもよい。
【００７５】
ところで、不織布６０の露出部分に対し噴霧器７０や刷毛塗りによりメンテナンス用防蟻剤９’を含浸させた場合、不織布６０の材質等によっては、外周基礎１の内角部Ｃまでメンテナンス用防蟻剤９’が充分に浸透しないこともあり得る。そこで、メンテナンス用防蟻剤９’をより確実に内角部Ｃまで浸透させるために、図１６に示すような方法を採用することが提案される。
【００７６】
図１６は、メンテナンスの際に断熱材５０にガイド孔６１を穿孔し、このガイド孔６１を用いてメンテナンス用防蟻剤９’を補充するという例を示したものである。本図に示すように、ガイド孔６１は、例えば、上側断熱材５０Ｂの下部に斜め向きに穿孔され、下側断熱材５０Ａにおける外周基礎１側の角部（上面５４と裏面５１とが交差する角部）に向けて開口している。メンテナンス用防蟻剤９’を補充する際には、上記ガイド孔６１の入口から、注射器２０等の注入器を用いてメンテナンス用防蟻剤９’を注入する。ガイド孔６１に注入されたメンテナンス用防蟻剤９’は、不織布６０のうち下側断熱材５０Ａの裏面５１を覆う部分にいきなり注入されるので、その下端にあたる外周基礎１の内角部Ｃまで確実に浸透することが期待される。
【００７７】
なお、上記図１６の例のようにガイド孔６１を設けてメンテナンス用防蟻剤９’を補充する場合、不織布は、少なくとも下側断熱材５０Ａの裏面５１および底面５２を覆っていれば足りる。このとき、不織布は、下側断熱材５０Ａの裏面５１を全面的に覆うように取り付けるのが好ましいが、上記ガイド孔６１を通じてメンテナンス用防蟻剤９’が注入される箇所を少なくとも含む幅方向の一部にのみ不織布を設けるようにしてもよい。
【００７８】
また、上記第２実施形態では、先の第１実施形態と同様、外周基礎１の内側面１ａとフーチング２の上面とが交差する内角部Ｃに防蟻剤９を配置したが、上記第１実施形態でも説明したとおり、防蟻剤９が配置されるのは上記のような内角部Ｃに限られない。例えば、図１２に示したとおり、外周基礎１と土間コンクリート５’との内角部Ｃ’に防蟻剤９を配置してよいし、いわゆるベタ基礎における内角部（図示省略）に防蟻剤９を配置してもよいし、図１３に示したとおり、外周基礎１と地盤Ｅとの内角部Ｃ”に防蟻剤９を配置してもよい。
【００７９】
また、上記第２実施形態では、先の実施形態と同様、下側断熱材５０Ａの底面５２に底溝５２ａを形成したが、この底溝５２ａを省略することにより、下側断熱材５０Ａとして平坦な底面を有するものを用いてもよい。この場合、防蟻剤は、下側断熱材５０Ａの底面とフーチング２との間などに引き伸ばされるようにして配置されることになる。特に、第２実施形態において、下側断熱材５０Ａの底溝５２ａを省略した場合（下側断熱材５０Ａの底面を平坦に形成した場合）には、下側断熱材５０Ａが矩形断面をもった単純形状のものになるので、後加工が不要になり、コスト面等で有利になる。
【００８０】
また、上記第２実施形態では、下側断熱材５０Ａと上側断熱材５０Ｂとを有する上下２分割タイプの断熱材５０を用いたが、上下一体型の断熱材を用いてもよい。
【００８１】
＜実施形態３＞
図１７は、本発明の第３実施形態を説明するための図である。なお、本図において、先の第１、第２実施形態と同一の構成要素には同一の符号を付すこととし、その詳細な説明を省略する。
【００８２】
図１７に示される第３実施形態では、先の第２実施形態と異なり、断熱材８０の一部の面のみが不織布６０によって覆われている。具体的に、不織布６０は、断熱材８０の裏面８１の一部と底面８２とを連続して覆うように取り付けられている。
【００８３】
断熱材８０には、当該断熱材８０を厚み方向に貫通するガイド孔８５が設けられており、その出口（外周基礎１側の開口）は、断熱材８０の裏面８１に取り付けられた不織布６０に対面している。
【００８４】
外周基礎１の内側面１ａとフーチング２（下側部材）の上面とが交差する内角部Ｃには、防蟻剤９が配置されている。なお、当実施形態では、断熱材８０の底面８２に底溝８２ａが形成されており、防蟻剤９はこの底溝８２ａ内に収容されるような状態で内角部Ｃに配置されている。
【００８５】
上記不織布６０およびガイド孔８５は、メンテナンス作業時に補充されるメンテナンス用防蟻剤９’を上記防蟻剤９の位置（ここでは内角部Ｃ）まで導く機能を果たすものであり、本発明にかかる「案内手段」に該当するものである。すなわち、防蟻効果を維持するために行われるメンテナンス作業においては、例えば注射器２０を用いて、断熱材８０のガイド孔８５にメンテナンス用防蟻剤９’が注入される。ガイド孔８５に注入されたメンテナンス用防蟻剤９’は、ガイド孔８５の出口（外周基礎１側の開口）から漏出することで、断熱材８０の裏面８１および底面８２に取り付けられた不織布６０に含浸され、この不織布６０を通じて上記内角部Ｃに配置された防蟻剤９に到達する。
【００８６】
なお、以上のような第３実施形態においても、先の第１、第２実施形態と同様、防蟻剤９の配置箇所は外周基礎１の内側面１ａとフーチング２の上面との内角部Ｃに限らないし（例えば図１２，１３に示した内角部Ｃ’またはＣ”でもよい）、また、断熱材８０の底面８２に設けられる底溝８２ａは省略可能である。
【００８７】
また、上記第３実施形態において、断熱材８０に設けられるガイド孔８５は、必ずしも断熱材８０の施工時に予め設けておく必要はない。例えば、メンテナンス用防蟻剤９’を補充するメンテナンスの際に、ハンドドリル等の工具を用いてガイド孔８５を新規に設けることも当然に可能である。
【００８８】
＜実施形態４＞
図１８は、本発明の第４実施形態を説明するための図である。なお、本図において、先の第１〜第３実施形態と同一の構成要素には同一の符号を付すこととし、その詳細な説明を省略する。
【００８９】
図１８に示される第４実施形態では、断熱材９０の下面９２のみを覆うように不織布６０が取り付けられている。
【００９０】
断熱材９０には、縦方向および横方向に延びるガイド孔９５が設けられている。具体的に、ガイド孔９５は、断熱材９０の表面９３に一端が開口した厚み方向に延びる横孔９５ａと、この横孔９５ａの他端（断熱材９０の厚み方向の途中部）から下方に延びて断熱材９０の底面９２まで達する縦孔９５ｂとを有している。
【００９１】
断熱材９０の表面９３には、中空構造材１００が取り付けられている。この中空構造材１００は、図１９に示すように、扁平かつ長尺な四角枠状の基材と、その内部に一体に設けられた複数の仕切部材とを有しており、仕切部材によって仕切られた複数の流路１０２が中空構造材１００の内部に形成されている。各流路１０２は、中空構造材１００の長手方向（上下方向）に沿って互いに平行に延び、中空構造材１００を長手方向に貫通している。
【００９２】
中空構造材１００は、図１８に示すように、断熱材９０と土間コンクリート５との間に挟まれるような状態で、断熱材９０の表面９３に沿って上下方向に延びるように設けられている。中空構造材１００の下端はフーチング２の上面まで達しており、中空構造材１００の上端は土間コンクリート５の上面よりも若干上方の高さ位置まで延びている。
【００９３】
外周基礎１の内側面１ａとフーチング２（下側部材）の上面とが交差する内角部Ｃには、防蟻剤９が配置されている。なお、当実施形態では、断熱材９０の底面９２に底溝９２ａが形成されており、防蟻剤９はこの底溝９２ａ内に収容されるような状態で内角部Ｃに配置されている。
【００９４】
上記不織布６０、ガイド孔９５、および中空構造材１００は、メンテナンス作業時に補充されるメンテナンス用防蟻剤９’（例えば図１７参照）を上記防蟻剤９の位置（ここでは内角部Ｃ）まで導く機能を果たすものであり、本発明にかかる「案内手段」に該当するものである。
【００９５】
すなわち、防蟻効果を維持するために行われるメンテナンス作業においては、図１８の矢印Ｘ１に示すように、断熱材９０のガイド孔９５にメンテナンス用防蟻剤９’が注入される。ガイド孔９５に注入されたメンテナンス用防蟻剤９’は、ガイド孔９５の出口（縦孔９５ｂの下端の開口）から漏出することで、断熱材９０の底面９２に取り付けられた不織布６０に含浸され、この不織布６０を通じて上記内角部Ｃに配置された防蟻剤９に到達する。
【００９６】
また、メンテナンス作業時には、図１８の矢印Ｙ１に示すように、中空構造材１００の上端開口からメンテナンス用防蟻剤９’を注入することも可能である。注入されたメンテナンス用防蟻剤９’は、中空構造材１００の内部に形成された複数の流路１０２（図１９）を通じて下方に流下する。さらに、流下したメンテナンス用防蟻剤９’は、断熱材９０の下面に取り付けられた不織布６０に含浸され、この不織布６０を通じて上記内角部Ｃに配置された防蟻剤９に到達する。
【００９７】
なお、上記第４実施形態では、内角部Ｃに配置される防蟻剤９を収容するための底溝９２ａを断熱材９０の底面９２に設けたが、この底溝９２ａは省略してもよい。
【００９８】
また、上記第４実施形態では、メンテナンス用防蟻剤９’を防蟻剤９の位置（内角部Ｃ）に導く案内手段として、不織布６０、ガイド孔９５、および中空構造材１００を設けたが、例えばガイド孔９５および中空構造材１００のいずれか一方は省略してもよい。また、断熱材９０の底面９２に取り付けられる不織布６０に代えて、メンテナンス用防蟻剤９’が含浸され易い粒状物質（例えば砂）等の保水材を断熱材９０の底面９２とフーチング２の上面との間に配置してもよい。
【００９９】
＜実施形態５＞
図２０は、本発明の第５実施形態を説明するための図である。なお、本図において、先の第１〜第４実施形態と同一の構成要素には同一の符号を付すこととし、その詳細な説明を省略する。
【０１００】
図２０に示される第４実施形態では、断熱材１１０の下面１１２のみを覆うように不織布６０が取り付けられている。
【０１０１】
断熱材１１０には、当該断熱材１１０を上下方向に貫通する第１ガイド孔１１５が設けられている。
【０１０２】
土間コンクリート５には、土間コンクリート５を斜めに貫通する第２ガイド孔１１６が設けられている。具体的に、この第２ガイド孔１１６は、土間コンクリート５の上面から、断熱材１１０の表面１１３とフーチング２の上面とが交差する角部に対応する位置に向けて斜め下方に延びている。なお、土間コンクリート５にこのような第２ガイド孔１１６を設ける作業は、例えば、土間コンクリート５を打設する前の段階で、第２ガイド孔１１６に対応する位置に予め中空管（内部が空洞のパイプまたはチューブ等）を配置しておき、その状態で土間コンクリート５を打設することにより、行うことができる。これにより、土間コンクリート５の内部に上記中空管が埋め込まれた状態となり、この中空管内部の空洞が上記第２ガイド孔１１６として形成される。
【０１０３】
外周基礎１の内側面１ａとフーチング２（下側部材）の上面とが交差する内角部Ｃには、防蟻剤９が配置されている。なお、当実施形態では、断熱材１１０の底面１１２に底溝１１２ａが形成されており、防蟻剤９はこの底溝１１２ａ内に収容されるような状態で内角部Ｃに配置されている。
【０１０４】
上記不織布６０、第１ガイド孔１１５、および第２ガイド孔１１６は、メンテナンス作業時に補充されるメンテナンス用防蟻剤９’（例えば図１７参照）を上記防蟻剤９の位置（ここでは内角部Ｃ）まで導く機能を果たすものであり、本発明にかかる「案内手段」に該当するものである。すなわち、防蟻効果を維持するために行われるメンテナンス作業においては、図２０の矢印Ｘ２に示すように、断熱材１１０の第１ガイド孔１１５にメンテナンス用防蟻剤９’が注入されるとともに、矢印Ｙ２に示すように、土間コンクリート５の第２ガイド孔１１６に同じくメンテナンス用防蟻剤９’が注入される。各ガイド孔１１５，１１６に注入されたメンテナンス用防蟻剤９’は、各ガイド孔１１５，１１６の下端の出口から漏出することで、断熱材１１０の底面１１２に取り付けられた不織布６０に含浸され、この不織布６０を通じて上記内角部Ｃに配置された防蟻剤９に到達する。
【０１０５】
なお、上記第５実施形態では、メンテナンス用防蟻剤９’を防蟻剤９の位置（内角部Ｃ）に導く案内手段として、不織布６０、第１ガイド孔１１５、および第２ガイド孔１１６を設けたが、例えば第１、第２ガイド孔１１５，１１６のいずれか一方は省略してもよい。また、断熱材１１０の底面１１２に取り付けられる不織布６０に代えて、メンテナンス用防蟻剤９’が含浸され易い粒状物質（例えば砂）等の保水材を断熱材１１０の底面１１２とフーチング２の上面との間に配置してもよい。
【０１０６】
また、上記第５実施形態では、断熱材１１０を上下方向に貫通するように第１ガイド孔１１５を設けたが、断熱材１１０が外周基礎１の周方向（図２０の紙面に直交する方向）に複数並べて設けられている場合、同方向に対面する２つの断熱材１１０の突き合わせ面にそれぞれ凹溝を設け、各凹溝の組み合わせによって上記第１ガイド孔１１５を形成してもよい。
【０１０７】
また、上記第５実施形態では、土間コンクリート５に第２ガイド孔１１６を設けたが、これと同様のガイド孔を外周基礎１に設けてもよい。この場合、外周基礎１のガイド孔は、例えば外周基礎１の外側面（床下とは反対側の面）と内角部Ｃとを結ぶように斜めに設けるとよい。
【０１０８】
＜実施形態６＞
図２１は、本発明の第６実施形態を説明するための図である。なお、本図において、先の第１〜第５実施形態と同一の構成要素には同一の符号を付すこととし、その詳細な説明を省略する。
【０１０９】
図２１に示される第６実施形態では、断熱材１２０の底面１２２に、防蟻剤９を収容するための底溝１２２ａと、後述するパイプ材１２５の一部を収容するためのパイプ用溝１２２ｂとが形成されている。これら溝１２２ａ，１２２ｂを含む断熱材１２０の底面１２２には、不織布６０が取り付けられている。
【０１１０】
断熱材１２０には、その表面１２３および底面１２２に沿って延びる中空状のパイプ材１２５が取り付けられている。このパイプ材１２５は、図２２に示すように、断熱材１２０の表面１２３に沿って上下方向に延びる第１部分１２５ａと、第１部分１２５ａの下端から断熱材１２０のパイプ用溝１２２ｂを通って外周基礎１に近接する方向に延びる第２部分１２５ｂと、第２部分１２５ｂの先端部から外周基礎１の周方向（図２２の紙面に直交する方向）に沿って延びる第３部分１２５ｃとを有している。
【０１１１】
パイプ材１２５の第１部分１２５ａは、断熱材１２０と土間コンクリート５との間に挟まれるような状態で設けられており、この第１部分１２５ａの上端は、土間コンクリート５の上面よりも若干上方の高さ位置まで延びている。
【０１１２】
パイプ材１２５の第３部分１２５ｃは、その周壁に複数の孔（図示省略）を有している。
【０１１３】
外周基礎１の内側面１ａとフーチング２（下側部材）の上面とが交差する内角部Ｃには、断熱材１２０の底溝１２２ａ内に収容されるような状態で防蟻剤９が配置されている。
【０１１４】
上記パイプ材１２５および不織布６０は、メンテナンス作業時に補充されるメンテナンス用防蟻剤９’（例えば図１７参照）を上記防蟻剤９の位置（ここでは内角部Ｃ）まで導く機能を果たすものであり、本発明にかかる「案内手段」に該当するものである。すなわち、防蟻効果を維持するために行われるメンテナンス作業においては、図２１の矢印Ｘ３に示すように、パイプ材１２５の上端開口からメンテナンス用防蟻剤９’が注入される。注入されたメンテナンス用防蟻剤９’は、パイプ材１２５の内部を下方に流下し、その第３部分１２５ｃにまで流入する。さらに、第３部分１２５ｃに流入したメンテナンス用防蟻剤９’は、この第３部分１２５ｃの周壁に設けられた複数の孔から外部に漏出することで、断熱材９０の下面に取り付けられた不織布６０に含浸され、この不織布６０を通じて上記内角部Ｃに配置された防蟻剤９に到達する。
【０１１５】
なお、上記実施形態では、防蟻剤９を収容するための底溝１２２ａと、パイプ材１２５を収容するためのパイプ用溝１２２ｂとを断熱材１２０の底面１２２に設けたが、これら底溝１２２ａおよびパイプ用溝１２２ｂは省略してもよい。この場合、断熱材１２０の底面１２２とフーチング２の上面との間に、パイプ材１２５の分だけ隙間が形成されることになるが、この隙間に例えば粒状物質（例えば砂）等の保水材を配置し、パイプ材１２５から漏出したメンテナンス用防蟻剤９’を上記保水材に含浸させるようにしてもよい。
【０１１６】
＜実施形態７＞
図２３は、本発明の第７実施形態を説明するための図である。なお、本図において、先の第１〜第６実施形態と同一の構成要素には同一の符号を付すこととし、その詳細な説明を省略する。
【０１１７】
図２３に示される第７実施形態では、外周基礎１の下端部が地盤Ｅの中の比較的深い位置まで埋設されている。このため、フーチング２の上面よりさらに上方の高さまで地盤Ｅが盛られており、当該地盤Ｅの上面を覆う土間コンクリート５は、フーチング２の上面よりも上方に離れた位置に敷設されている。
【０１１８】
外周基礎１の内側面１ａには、土間コンクリート５よりも低い高さ範囲も含めて、全ての内側面１ａを覆うように断熱材１３０が取り付けられている。断熱材１３０は、土間コンクリート５よりも低い範囲の内側面１ａを覆う下側断熱材１３０Ａと、下側断熱材１３０Ａよりも高い範囲の内側面１ａを覆う上側断熱材１３０Ｂとを有している。下側断熱材１３０Ａは、外周基礎１と地盤Ｅとの間に挟まれており、上側断熱材１３０Ｂは、外周基礎１と土間コンクリート５との間に挟まれている。
【０１１９】
下側断熱材１３０Ａおよび上側断熱材１３０Ｂには、不織布６０が取り付けられている。具体的に、不織布６０は、下側断熱材１３０Ａの全面（つまり裏面１３１、底面１３２、表面１３３、および上面１３４を含む６面全て）を覆うとともに、上側断熱材１３０Ｂの裏面１３５の一部を覆うように取り付けられている。
【０１２０】
上側断熱材１３０Ｂには、当該断熱材１３０Ｂを厚み方向に貫通するガイド孔１３８が設けられており、その出口（外周基礎１側の開口）は、上側断熱材１３０Ｂの裏面１３５に取り付けられた不織布６０に対面している。
【０１２１】
上側断熱材１３０Ｂの表面１３６には、先の第４実施形態で用いたのと同様の中空構造材１００が取り付けられている。具体的に、中空構造材１００は、上側断熱材１３０Ｂと土間コンクリート５との間に挟まれるような状態で、上側断熱材１３０Ｂの表面１３６に沿って上下方向に延びるように設けられている。中空構造材１００の下端は下側断熱材１３０Ａと上側断熱材１３０Ｂとの境界の高さ位置まで延びており、中空構造材１００の上端は土間コンクリート５の上面よりも若干上方の高さ位置まで延びている。
【０１２２】
外周基礎１の内側面１ａとフーチング２（下側部材）の上面とが交差する内角部Ｃには、防蟻剤９が配置されている。なお、当実施形態では、下側断熱材１３０Ｂの底面１３２に底溝１３２ａが形成されており、防蟻剤９はこの底溝１３２ａ内に収容されるような状態で内角部Ｃに配置されている。
【０１２３】
上記不織布６０、ガイド孔１３８、および中空構造材１００は、メンテナンス作業時に補充されるメンテナンス用防蟻剤９’（例えば図１７参照）を上記防蟻剤９の位置（ここでは内角部Ｃ）まで導く機能を果たすものであり、本発明にかかる「案内手段」に該当するものである。
【０１２４】
すなわち、防蟻効果を維持するために行われるメンテナンス作業においては、図２３の矢印Ｘ４に示すように、上側断熱材１３０Ｂのガイド孔１３８にメンテナンス用防蟻剤９’が注入される。ガイド孔１３８に注入されたメンテナンス用防蟻剤９’は、ガイド孔１３８の出口（外周基礎１側の開口）から漏出することで、上側断熱材１３０Ｂの裏面１３５に取り付けられた不織布６０に含浸される。さらに、メンテナンス用防蟻剤９’は、下側断熱材１３０Ａの全面に取り付けられた不織布６０にも含浸され、この不織布６０を通じて上記内角部Ｃに配置された防蟻剤９に到達する。
【０１２５】
また、メンテナンス作業時には、図２３の矢印Ｙ４に示すように、中空構造材１００の上端開口からメンテナンス用防蟻剤９’を注入することも可能である。注入されたメンテナンス用防蟻剤９’は、中空構造材１００の内部に形成された複数の流路１０２（図１９参照）を通じて下方に流下する。さらに、流下したメンテナンス用防蟻剤９’は、下側断熱材１３０Ａに取り付けられた不織布６０に含浸され、この不織布６０を通じて上記内角部Ｃに配置された防蟻剤９に到達する。
【０１２６】
なお、上記第７実施形態では、内角部Ｃに配置される防蟻剤９を収容するための底溝１３２ａを下側断熱材１３０Ａの底面１３２に設けたが、この底溝１３２ａは省略してもよい。
【０１２７】
また、上記第７実施形態では、メンテナンス用防蟻剤９’を防蟻剤９の位置（内角部Ｃ）に導く案内手段として、不織布６０、ガイド孔１３８、および中空構造材１００を設けたが、このうち中空構造材１００は省略することが可能である。逆に、中空構造１００を残して、上側断熱材１３０Ｂの裏面１３５に取り付けられている部分の不織布６０とガイド孔１３８とを省略してもよい。
【０１２８】
＜実施形態８＞
図２４は、本発明の第８実施形態を説明するための図である。なお、本図において、先の第１〜第７実施形態と同一の構成要素には同一の符号を付すこととし、その詳細な説明を省略する。
【０１２９】
図２４に示される第８実施形態では、先の第７実施形態と同様、外周基礎１の下端部が地盤Ｅの中の比較的深い位置まで埋設されており、フーチング２と土間コンクリート５とが上下に離れている。
【０１３０】
外周基礎１の内側面１ａには、断熱材１４０および防蟻断熱材１５０が取り付けられている。
【０１３１】
防蟻断熱材１５０は、これまでの実施形態で用いてきたいずれの断熱材とも異なり、防蟻用の薬剤が配合された特殊な断熱材であり、それ自体、白蟻を忌避する機能を有している。この防蟻断熱材１５０は、土間コンクリート５よりも低い高さ範囲の内側面１ａを覆うように取り付けられており、外周基礎１と地盤Ｅとの間に挟まれている。なお、防蟻断熱材１５０は、断熱材１４０の下方に位置するため、本発明にかかる「下側部材」に該当する。
【０１３２】
断熱材１４０は、これまでの実施形態で用いてきた断熱材と同じ材質からなり、防蟻用の薬剤は配合されていない。この断熱材１４０は、防蟻断熱材１５０よりも高い範囲の外周基礎１の内側面１ａを覆うように取り付けられており、外周基礎１と土間コンクリート５との間に挟まれている。
【０１３３】
断熱材１４０には不織布６０が取り付けられている。この不織布６０は、断熱材１４０の裏面１４１の一部と底面１４２とをそれぞれ覆っている。
【０１３４】
断熱材１４０には、当該断熱材１４０を厚み方向に貫通するガイド孔１４５が設けられており、その出口（外周基礎１側の開口）は、断熱材１４０の裏面１４１に取り付けられた不織布６０に対面している。
【０１３５】
上側断熱材１４０の表面１４３には、先の第４実施形態および第７実施形態で用いたのと同様の中空構造材１００が取り付けられている。具体的に、中空構造材１００は、断熱材１４０と土間コンクリート５との間に挟まれるような状態で、断熱材１４０の表面１４３に沿って上下方向に延びるように設けられている。中空構造材１００の下端は防蟻断熱材１５０の上面まで延びており、中空構造材１００の上端は土間コンクリート５の上面よりも若干上方の高さ位置まで延びている。
【０１３６】
外周基礎１の内側面１ａと防蟻断熱材１５０（下側部材）の上面とが交差する内角部Ｃｘには、防蟻剤９が配置されている。なお、当実施形態では、断熱材１４０の底面１４２に底溝１４２ａが形成されており、防蟻剤９はこの底溝１４２ａ内に収容されるような状態で内角部Ｃｘに配置されている。
【０１３７】
上記不織布６０、ガイド孔１４５、および中空構造材１００は、メンテナンス作業時に補充されるメンテナンス用防蟻剤９’（例えば図１７参照）を上記防蟻剤９の位置（ここでは内角部Ｃｘ）まで導く機能を果たすものであり、本発明にかかる「案内手段」に該当するものである。
【０１３８】
すなわち、防蟻効果を維持するために行われるメンテナンス作業においては、図２４の矢印Ｘ５に示すように、断熱材１４０のガイド孔１４５にメンテナンス用防蟻剤９’が注入される。ガイド孔１４５に注入されたメンテナンス用防蟻剤９’は、ガイド孔１４５の出口（外周基礎１側の開口）から漏出することで、断熱材１４０の裏面１４１および底面１４２に取り付けられた不織布６０に含浸され、この不織布６０を通じて上記内角部Ｃｘに配置された防蟻剤９に到達する。
【０１３９】
また、メンテナンス作業時には、図２４の矢印Ｙ５に示すように、中空構造材１００の上端開口からメンテナンス用防蟻剤９’を注入することも可能である。注入されたメンテナンス用防蟻剤９’は、中空構造材１００の内部に形成された複数の流路１０２（図１９参照）を通じて下方に流下する。さらに、流下したメンテナンス用防蟻剤９’は上記不織布６０に含浸され、この不織布６０を通じて上記内角部Ｃｘに配置された防蟻剤９に到達する。
【０１４０】
なお、上記第８実施形態では、内角部Ｃｘに配置される防蟻剤９を収容するための底溝１４２ａを断熱材１４０の底面１４２に設けたが、この底溝１４２ａは省略してもよい。
【０１４１】
また、上記第８実施形態では、メンテナンス用防蟻剤９’を防蟻剤９の位置（内角部Ｃｘ）に導く案内手段として、不織布６０、ガイド孔１４５、および中空構造材１００を設けたが、このうち中空構造材１００は省略することが可能である。逆に、中空構造１００を残して、断熱材１４０の裏面１４１に取り付けられている部分の不織布６０とガイド孔１４５とを省略してもよい。
【０１４２】
＜実施形態９＞
図２５は、本発明の第９実施形態を説明するための図である。なお、本図において、先の第１〜第６実施形態と同一の構成要素には同一の符号を付すこととし、その詳細な説明を省略する。
【０１４３】
図２５に示される第９実施形態では、先の第８実施形態（図２４）と比較して、以下の点が異なる（それ以外の点は全て第８実施形態と同一である）。
・防蟻断熱材１５０が省略され、その部分に地盤Ｅが存在している。このため、断熱材１４０の下側に位置する「下側部材」としては、地盤Ｅがそれに対応する。
・外周基礎１の内側面１ａと地盤Ｅの上面とに形成される内角部Ｃｙに防蟻剤９が配置され、その上に断熱材１４０が取り付けられている。
・中空構造材１００が省略されている。
・土間コンクリート５の上面に、断熱材１６０が敷設されている。
【０１４４】
このような第９実施形態では、断熱材１４０を厚み方向に貫通するガイド孔１４５と、断熱材１４０の裏面１４１および底面１４２に取り付けられた不織布６０とが、本発明にかかる「案内手段」に該当する。すなわち、防蟻効果を維持するために行われるメンテナンス作業においては、図２５の矢印Ｘ６に示すように、断熱材１４０のガイド孔１４５にメンテナンス用防蟻剤９’（例えば図１７参照）が注入される。ガイド孔１４５に注入されたメンテナンス用防蟻剤９’は、ガイド孔１４５の出口（外周基礎１側の開口）から漏出することで、断熱材１４０の裏面１４１および底面１４２に取り付けられた不織布６０に含浸され、この不織布６０を通じて上記内角部Ｃｙに配置された防蟻剤９に到達する。
【０１４５】
なお、上記第９実施形態では、外周基礎１の内側面１ａを覆う断熱材１４０に加えて、土間コンクリート５の上面にも断熱材１６０を設けたが、土間コンクリート５を覆う断熱材は、他の実施形態でも同様に設けることが可能である。
【符号の説明】
【０１４６】
１  外周基礎
２  フーチング（下側部材）
５’  土間コンクリート（下側部材）
９  防蟻剤
９’  メンテナンス用防蟻剤
１０，５０，８０，９０，１１０，１２０，１３０，１４０  断熱材
１１，５１，８１，１３１，１３５，１４１  （断熱材の）裏面
１２，５２，８２，９２，１１２，１２２，１３２，１４２  （断熱材の）底面
１５，８５，１３８，１４５  ガイド孔
１６  ガイド溝
１７  縦溝部
１８  分岐溝部
５０Ａ，１３０Ａ  下側断熱材
５０Ｂ，１３０Ｂ  上側断熱材
６０  不織布
Ｃ，Ｃ’，Ｃ”，Ｃｘ，Ｃｙ  内角部
【図１】
2014043764.tif 000003
【図２】
2014043764.tif 000004
【図３】
2014043764.tif 000005
【図４】
2014043764.tif 000006
【図５】
2014043764.tif 000007
【図６】
2014043764.tif 000008
【図７】
2014043764.tif 000009
【図８】
2014043764.tif 000010
【図９】
2014043764.tif 000011
【図１０】
2014043764.tif 000012
【図１１】
2014043764.tif 000013
【図１２】
2014043764.tif 000014
【図１３】
2014043764.tif 000015
【図１４】
2014043764.tif 000016
【図１５】
2014043764.tif 000017
【図１６】
2014043764.tif 000018
【図１７】
2014043764.tif 000019
【図１８】
2014043764.tif 000020
【図１９】
2014043764.tif 000021
【図２０】
2014043764.tif 000022
【図２１】
2014043764.tif 000023
【図２２】
2014043764.tif 000024
【図２３】
2014043764.tif 000025
【図２４】
2014043764.tif 000026
【図２５】
2014043764.tif 000027
【図２６】
2014043764.tif 000028